(57)【要約】【課題】画像処理装置に２種類の異なる操作パネルを取り付ける構成において、汎用インターフェース（例えばＳＣＳＩ）を採用するとインターフェース回路が本体側と操作パネル側それぞれに必要となりコストがかかる。【解決手段】互いにインターフェース信号が異なる第１の操作パネルと第２の操作パネルのそれぞれのインターフェース信号選択切り替えする手段を設け、かつ切り替え手段によって共通化されたインターフェース信号を第１操作パネルおよび第２操作パネルと接続するための１つ共通接続手段とを設け、前記切り替え手段はそれぞれの操作部固有のステータス出力信号によって選択切り替えを行う。【選択図】        図１
2006229689.tif 000002
【特許請求の範囲】
【請求項１】
画像処理装置において、
互いにインターフェース信号が異なる第１の操作パネルと第２の操作パネルと、
第１の操作パネルとの制御およびインターフェースを行う第１制御部と、
第２の操作パネルとの制御およびインターフェースを行う第２制御部と、
第１制御部のインターフェース信号と第２制御部のインターフェース信号とを選択切り替えを行う切り替え手段と、
切り替え手段によって共通化されたインターフェース信号を第１操作パネルおよび第２操作パネルと接続するための共通接続手段と、
を有する事を特徴とする画像処理装置。
【請求項２】
請求項１記載の画像処理装置において、
第１操作パネルと第２操作パネルはそれぞれ異なるステータス出力信号を持ち、
前記切り替え手段は前記ステータス出力信号にしたがって第１制御部のインターフェース信号と第２制御部のインターフェース信号とを選択切り替えを行う事を特徴とする画像処理装置。
【請求項３】
請求項１記載の画像処理装置において、
共通接続手段は１つのコネクタである事を特徴とする画像処理装置。
【発明の詳細な説明】
【技術分野】
【０００１】
本発明は、主にコピー、プリンタ、ファクス、スキャナ機能を備えるディジタル複合機の操作パネルのインターフェースに係る画像処理装置に関する。
【背景技術】
【０００２】
従来、共通の複合機本体に２種類の操作パネルをとりつけるための技術提案がなされている（例えば、特許文献１参照）。
【０００３】
従来提案は、スキャナ、プリンタなどの入出力装置が同一の機能を有していても、例えば高度な画像編集機能を有する高機能機種と単機能機種とで、それらにあわせて操作パネルの機能も異なった種類を用意するものである。例えば後述する実施例では
＝高機能機種用操作パネルの仕様＝
表示部    ＱＶＧＡ（３２０ｘ２４０ｄｏｔ）  ＬＣＤモジュール
入力部    タッチパネル
特徴      画面が大きく複雑なグラフィックを表示できる。
操作入力は画面に対応してフレキシブルに変更できる。
＝単機能機種用操作パネルの仕様＝
表示部    １６０ｘ３２ｄｏｔ  ドットマトリクスＬＣＤモジュール
入力部    プッシュＳＷキー
特徴      画面が小さいが漢字２行程度は表示できる。
固定キーで数も限られるため複雑な操作はできない。
【０００４】
従来例の提案では共通の本体に２種類の異なる操作部を取り付けるための解決手段とて、本体と操作パネルとのンターフェースを例えばＳＣＳＩなどの汎用インターフェースを採用するものとしている。
【特許文献１】特開平０６−１５２８１４号公報
【発明の開示】
【発明が解決しようとする課題】
【０００５】
しかしながら、従来例提案の解決手段では本体側と操作パネル側にそれぞれ共通インターフェース（例えばＳＣＳＩ）を用意して共通化という目的のために余計なハードウエアを持たなければならないという問題点をもつ。
【０００６】
また従来例提案では共通インターフェースを介して操作パネル側に操作部制御部を用意する構成をとっているが、この構成では本体側に有っても良い操作部制御部分だけ操作パネル側のハードウエアが大きくなり、操作パネルのコストを上げてしまう問題点をもつ。
【０００７】
本発明は、以上の点に着目して成されたもので、複数種類の操作パネルに対して共通の電気的接続（コネクタ、ハーネス）の仕組みを持たせる事によって市場での交換性が向上し、いくつかの信号組を共有して切り替えるため信号数を抑えてコストを削減でき、また、信号の切り替え制御は本体制御部側で行なうため、操作パネル側はＳＣＳＩなどのいわゆる共通インターフェース回路を用意する必要がないためコストを削減できる画像処理装置を提供することを目的とする。
【課題を解決するための手段】
【０００８】
画像処理処理装置において、
互いにインターフェース信号が異なる第１の操作パネルと第２の操作パネルと、
第１の操作パネルとの制御およびインターフェースを行う第１制御部と、
第２の操作パネルとの制御およびインターフェースを行う第２制御部と、
第１制御部のインターフェース信号と第２制御部のインターフェース信号とを選択切り替えを行う切り替え手段と、
切り替え手段によって共通化されたインターフェース信号を第１操作パネルおよび第２操作パネルと接続するための１つ共通接続手段と、
を有する事により、従来例の課題を解決する。
【０００９】
また、第１操作パネルと第２操作パネルはそれぞれ異なるステータス出力信号を持ち、
前記切り替え手段は前記ステータス出力信号にしたがって第１制御部のインターフェース信号と第２制御部のインターフェース信号とを選択切り替えを行う、事により、従来例の課題を解決する。
【００１０】
また、共通接続手段は１つのコネクタである事により、従来例の課題を解決する。
【発明の効果】
【００１１】
本発明により、複数種類の操作パネルに対して共通の電気的接続（コネクタ、ハーネス）の仕組みを持たせる事によって、市場での交換性が向上するという効果を生じる。また、いくつかの信号組を共有して切り替えるため信号数を抑えてコストを削減できる効果を生じる。また、信号の切り替え制御は本体制御部側で行なうため、操作パネル側はＳＣＳＩなどのいわゆる共通インターフェース回路を用意する必要がないためコストを削減できる効果を生じる。
【発明を実施するための最良の形態】
【００１２】
以下、本発明の実施例の図面を参照し説明する。
【００１３】
図１は、本発明の実施例による画像処理装置のブロック図である。
【００１４】
図２は、本発明の実施例による操作パネル接続部分の詳細ブロック図である。
【００１５】
図３は、本発明の実施例による操作パネルインターフェースの信号表である。
【実施例１】
【００１６】
図１は本発明の第一実施例の画像処理装置全体のブロック図であり、図に沿って各構成の説明をする。
【００１７】
１はシステムチップであり、図示していないがチップには以下にあげるような画像処理装置の制御に必要な様々の機能を内蔵している。
・メインプロセッサ（ＣＰＵ）
・メインメモリ（ＤＲＡＭ）コントローラ
・プリンタ部インターフェース及びプリンタ出力画像処理機能
・リーダー部インターフェース及びリーダー入力画像処理機能
・操作パネル制御機能
・外部バス制御
・各種汎用インターフェース機能（ＬＡＮ，ＵＳＢなど）
以後、メインコントローラと表現する場合は主にこのシステムチップの事を指す。
【００１８】
２は操作パネルとの接続コネクタである。後述する２種類の操作パネルに対して共通コネクタで接続するように構成されている。
【００１９】
３は単機能機種用操作パネルである。単機能機種とは、例えばコピー機能のみに限定した仕様の機種で、ファクス機能で必要なハードウエアを省いたりメインメモリ容量などが削減できるためコストを低く設定する事を重視した機種の事である。
【００２０】
４は高機能種用操作パネルである。高機能機種とは、例えばコピー、ファックス、プリント、スキャン機能のいずれも対応する仕様の機種で、機能重視した機種の事である。
【００２１】
５はメインコントローラシステムのメインメモリで、主にＤＲＡＭで構成されている。メインメモリはシステムチップ内のＤＲＡＭコントローラを介してデータの読み書きが行なわれる。
【００２２】
６はプリンタで、メインコントローラから出力される画像データを印刷出力する。
【００２３】
７はリーダーで、スキャンした画像データをメインコントローラに入力する。
【００２４】
８はメインＲＯＭで、主にＦＬＡＳＨ  ＲＯＭで構成される。これにはメインコントローラのＣＰＵが実行するためのプログラムが格納されている。また、装置のユーザ設定情報などの不揮発性を要求されるデータを保存するためにも使用される。
【００２５】
９はファックス機能部で、主にモデムチップなどで構成されている。ファックス機能部はメインコントローラで処理された画像データを１１の電話回線を通じて送信したり、電話回線を通じで受信した画像データをメインコントローラに転送するためのものである。
【００２６】
１０は外部バスで、システムチップ内のＣＰＵをマスターとして外部で色々なデバイスを接続するためのバスである。図１の実施例においてはメインＲＯＭとファックス機能ブロックがバスに接続さている。
【００２７】
１１はＬＡＮインターフェースである。システムチップにはＬＡＮインターフェースコントローラを有している。ＬＡＮ接続の主な目的はネットワークプリント機能のためである。
【００２８】
１２はＵＳＢインターフェースである。システムチップにはＬＡＮインターフェースコントローラを有している。ＵＳＢ接続の主な目的はＰＣローカルプリント機能のためである。
【００２９】
図２において操作パネルをもう少し詳細なブロック図に沿って説明をする。
【００３０】
単機能機種用操作パネル内のブロック３−１はパネルゲートアレイ、３−３はプッシュＳＷを電気的マトリクスに配置したキー入力部である。３−１パネルゲートアレイは３−３キー入力部のプッシュＳＷキーの何れかが押されるとそのプッシュＳＷの位置に対応したコードを生成して同期式３線シリアルインターフェース（送信、受信、クロック）を介してメインコントローラにキーコード情報を転送する。
【００３１】
３−２は１６０ｘ３２のドットマトリクスＬＣＤモジュールであり、ＬＣＤドライバ兼コントローラ（以後ＬＣＤドライバ）を内蔵している。例えば本実施例ではＬＣＤドライバとして東芝製Ｔ６Ｋ１１を想定している。このＬＣＤドライバは表示ＲＡＭを持っており、一般的なＣＰＵインターフェース接続による表示ＲＡＭへのデータ書き込でＬＣＤ表示を可能とする。
【００３２】
具体的にＬＣＤモジュールに対して必要な信号インターフェースは以下の通りである。
【００３３】
ＬＣＤ７〜ＬＣＤ０（８本）      ：  データ信号
ＲＳ＿ＬＣＤ（１本）            ：  アドレス信号
ＸＣＳ＿ＬＣＤ（１本）          ：  チップセレクト信号
Ｅ＿ＬＣＤ（１本）              ：  ライト信号
【００３４】
高機能機種用操作パネル内のブロック４−１はタッチパネルコントローラ、４−３はタッチパネル入力部である。４−１タッチパネルコントローラは４−３タッチパネル入力部について指で押された箇所の座標を割り出して非同期シリアルインターフェース（送信、受信）を介してメインコントローラに座標データ情報を転送する。
【００３５】
４−２はＱＶＧＡ（３２０ｘ２４０）ＬＣＤモジュールであり、ＬＣＤドライバを内蔵している。例えば本実施例のＬＣＤドライバは表示ＲＡＭを持たず、表示データを一定の走査間隔で常に転送する必要がある。具体的にＬＣＤモジュールに対して必要な信号インターフェースは以下の通りである。
【００３６】
ＸＤ３−ＩＰ〜ＸＤ０−ＩＰ（４本）  ：  データ信号
ＸＳＣＬ−ＩＰ（１本）              ：  表示データ転送クロック
ＬＰ−ＩＰ（１本）                  ：  水平同期信号
ＹＤ−ＩＰ（１本）                  ：  垂直同期信号
【００３７】
図２においてシステムチップ内の操作パネル制御に関するブロックについて図に沿って説明する。
【００３８】
１−１は同期式３線シリアルインターフェースである。
【００３９】
このブロックは単機能機種用操作パネルのパネルゲートアレイとのインターフェースを行い、おもにプッシュＳＷキー入力情報を取り入れる物である。
【００４０】
信号内容は以下の通り。
【００４１】
ＤＣＬＫ−ＰＧＩ（１本）  ：  シリアル転送クロック
ＲＸＤ−ＰＧＩ（１本）    ：  シリアル入力データ
ＴＸＤ−ＰＧＩ（１本）    ：  シリアル出力データ
【００４２】
１−２はＬＣＤコントローラ１である。このブロックは５メインメモリ上に展開したＬＣＤ表示エリアに対応したビットマップ情報を読み出して、３−２  １６０ｘ３２ドットマトリクスＬＣＤモジュールのインターフェースに対応した形で転送する機能を持っている。
【００４３】
１−３は非同期式シリアルインターフェースである。ＵＡＲＴで構成している。
【００４４】
このブロックは高機能機種操作パネルの４−１タッチパネルコントローラとのインターフェースを行い、おもにタッチパネルの入力座標データ情報を取り入れる物である。
【００４５】
信号内容は以下の通り。
ＲＸＤ−ＵＡＲＴ  （１本）      ：  シリアル入力データ
ＴＸＤ−ＵＡＲＴ  （１本）      ：  シリアル出力データ
【００４６】
１−４はＬＣＤコントローラ２である。このブロックは５メインメモリ上に展開したＬＣＤ表示エリアに対応したビットマップ情報を読み出して、４−２  ＱＶＧＡドットマトリクスＬＣＤモジュールのインターフェースに対応した形で、一定の走査間隔で転送する機能を持っている。
【００４７】
１−５は１−１同期式３線シリアルインターフェースの信号と１−３非同期式シリアルインターフェースの信号を切り替えるためのマルチプレクサ１である。
【００４８】
１−６は１−２ＬＣＤコントローラ１の信号と１−４ＬＣＤコントローラ２の信号を切り替えるためのマルチプレクサ２である。
【００４９】
図３は操作パネルインターフェースの信号表で、２コネクタにおける信号配列も示している。表に沿って説明をする。
【００５０】
８ｐｉｎのＱＶＧＡ信号は操作パネルが出力するステータス信号で単機能機種用操作パネルはＬｏｗレベル（０）、高機能機種用操作パネルはＨｉｇｈレベル（１）を定常的に出力している。メンインコントローラはこのステータス信号をポート入力などで読み込んで現在接続されている操作パネルの種類を認識し、それに伴って操作パネル制御ブロックのイネーブル／ディセーブルを切り替えたり、操作パネルインターフェース信号を切り替えるマルチプレクサの切り替えを行う。
【００５１】
具体的には下表のように切り替え設定をおこなう。
【００５２】
【表１】
2006229689.tif 000003
【００５３】
２０〜２７ｐｉｎはＬＣＤデータで８本の割り当てである。この８本はマルチプレクサ２で信号切り替える。ただし高機能機種用操作パネル接続時はデータ線は４本しか必要がないため２０，２２，２４，２６ｐｉｎはノンコネクト信号となる。
【００５４】
１８ｐｉｎは高機能機種用操作パネル接続時はＬＣＤ表示データの転送クロック、単機能機種用操作パネル接続時はＬＣＤ表示データの書き込みパルス信号となる。
【００５５】
１６ｐｉｎは高機能機種用操作パネル接続時はＬＣＤ表示データ転送の走査水平同期信号、単機能機種用操作パネル接続時はＬＣＤドライバへ入力するアドレス信号となる。
【００５６】
１４ｐｉｎは操作パネルリセット信号で、操作パネルに拠らず共通である。
【００５７】
９ｐｉｎは高機能機種用操作パネル接続時はＬＣＤ表示データ転送の走査垂直同期信号、単機能機種用操作パネル接続時はＬＣＤドライバへ入力するチップセレクト信号となる。
【００５８】
５ｐｉｎは単機能機種用操作パネル用のパネルゲートアレイとの同期式シリアルインターフェースのデータ転送クロックである。ただし高機能機種用操作パネル接続時は必要がないためノンコネクト信号となる。
【００５９】
３ｐｉｎは高機能機種用操作パネル接続時は非同期式シリアルインターフェースのシリアル入力信号、単機能機種用操作パネル接続時は同期式シリアルインターフェースのシリアル入力信号となる。
【００６０】
１ｐｉｎは高機能機種用操作パネル接続時は非同期式シリアルインターフェースのシリアル出力信号、単機能機種用操作パネル接続時は同期式シリアルインターフェースのシリアル出力信号となる。
【００６１】
１９，１７，１５，１３，１２，１１，１０，７，６，４，２ｐｉｎは電源とＧＮＤであり、操作パネルに拠らず共通である。
【００６２】
これまで説明してきたように、操作パネルとメインコントローラとのコネクタ接続信号のうち、高機能機種用操作パネル接続時と単機能機種用操作パネル接続時でそれぞれ入出力方向が同じ信号同士でいくつかの組を作ることで信号数を減らす事が可能となる。
【００６３】
なお、本発明の実施形態では２種類の操作パネルのインターフェースおよびコントローラをひとつのチップに内蔵しているが、別の実施形態として操作パネルに対応する別々のチップにインターフェースおよびコントローラを持たせてメインコントローラ上にそれぞれのチップを搭載する構成もある。この場合、操作パネル側に対して出力方向の共有信号に関し、操作パネルに対応するチップでそれぞれ出力バッファ制御を行い、それぞれのチップの出力信号が衝突しないようにすれば良い。
【図面の簡単な説明】
【００６４】
【図１】本発明の実施例による画像処理装置のブロック図
【図２】本発明の実施例による操作パネル接続部分の詳細ブロック図
【図３】本発明の実施例による操作パネルインターフェースの信号表を示す図
【符号の説明】
【００６５】
１  システムチップ
２  接続コネクタ
３  単機能機種用操作パネル
４  高機能機種用操作パネル
５  メインメモリ
６  プリンタ
７  リーダー
８  メインＲＯＭ
９  ファックス機能部
１０  外部バス
１１  ＬＡＮインターフェース
１２  ＵＳＢインターフェース
１−１  同期式３線シリアルインターフェース
１−２  表示ＲＡＭ付きＬＣＤモジュール対応ＬＣＤコントローラ
１−３  非同期式シリアルインターフェース
１−４  走査型ＬＣＤモジュール対応ＬＣＤコントローラ
１−５  マルチプレクサ１
１−６  マルチプレクサ２
３−１  パネルゲートアレイ
３−２  １６０ｘ３２  ドットマトリクスＬＣＤモジュール
３−３  プッシュＳＷキー入力部
４−１  タッチパネルコントローラ
４−２  ＱＶＧＡ  ＬＣＤモジュール
４−３  タッチパネル入力部
【図１】
2006229689.tif 000004
【図２】
2006229689.tif 000005
【図３】
2006229689.tif 000006